(57)【要約】      （修正有） 【課題】屋根上に設置される太陽光利用パネル（ソーラーパネル等）の裏面空間に、鳥が巣作りを行うことを完全に防止する鳥害防止具を提供する。【解決手段】適宜な長尺形状の取付部１１と、取付部１１の下方部分に適宜間隔で隙間を設けると共に前後に折曲又は撓曲可能な櫛歯状で所定の長さに形成した仕切り部１２とを備えてなり、太陽光利用パネル２の枠体２１の外周面全周に装着し、仕切り部１２の下端を適宜折り曲げ或いは撓ませてある屋根３の表面に当接して、太陽光利用パネルの裏面空間を仕切り部で囲繞して、鳥の侵入を塞ぎ、鳥が巣作りをできないようにした。【選択図】図２
0003174173.tif 000002
【実用新案登録請求の範囲】
【請求項１】
適宜な長尺形状の取付部と、取付部の下方部分に適宜間隔で隙間を設けると共に前後に折曲又は撓曲可能な櫛歯状で所定の長さに形成した仕切り部とを備えてなることを特徴とする屋根上設置型太陽光利用パネルの鳥害防止具。
【請求項２】
取付部及び仕切り部を折り曲げが容易な帯状薄金属板で形成してなる請求項１記載の屋根上設置型太陽光利用パネルの鳥害防止具。
【請求項３】
取付部の上縁を前方に折曲してリブ部に形成してなる請求項２記載の屋根上設置型太陽光利用パネルの鳥害防止具。
【考案の詳細な説明】
【技術分野】
【０００１】
本考案は、屋根上に設置される太陽光発電パネル、温水用パネルなどの屋根上設置型太陽光利用パネルが鳥害を受けるのを防止する器具に関するものである。
【背景技術】
【０００２】
太陽光を利用する発電パネル（ソーラーパネル）や温水パネルは、適宜な補強部材（枠体や保持体等）に組み込まれて既存の屋根上に設置する形式のものが知られている。これらのパネルは屋根上に設けた種々の台座金具に装着して行われている（特許文献１，２）。
【０００３】
また屋根上に設置した太陽光利用パネルの鳥害を防止する手段として、受光面側に針状突起を設ける（特許文献３）、或いは受光面の上方に線材を架設する（特許文献４）などが知られている。
【先行技術文献】
【特許文献】
【０００４】
【特許文献１】特開２０１１−２０２４８９号公報図４。
【特許文献２】登録実用新案第３０９７３６０号公報図１。
【特許文献３】特開２００６−１６５１６６号公報図５。
【特許文献４】実公平５−３４１１９号公報図３。
【考案の概要】
【考案が解決しようとする課題】
【０００５】
ところで前記した屋根上設置型太陽光利用パネルは、屋根上に設けた台座金具を介して屋根面上に設置されるので、太陽光利用パネルと屋根面上との間に空間が生じ、当該空間に鳥が入り込み巣作りすることがしばしば見受けられ、巣を取り除くには設置した太陽光パネルを一旦取り外す必要があり、非常に煩雑な作業となる。
【０００６】
前記のように太陽光利用パネルに鳥を寄せ付けないようにパネル上面側に突起物や障害物を設けた場合は、確かに鳥を寄せ付けない効果はあるが、外観上に好ましく無く、また必ずしも巣作りを完全に防止しているとは言えない。
【０００７】
そこで本考案は、鳥の巣作りを完全に防止する屋根上設置型太陽光利用パネルの鳥害防止具を提案したものである。
【課題を解決するための手段】
【０００８】
本考案に係る屋根上設置型太陽光利用パネルの鳥害防止具は、適宜な長尺形状の取付部と、取付部の下方部分に適宜間隔で隙間を設けると共に前後に折曲又は撓曲可能な櫛歯状で所定の長さに形成した仕切部とを備えてなることを特徴とするものである。
【０００９】
而して取付部を屋根上に設置した太陽光利用パネルの枠体外周面全周に適宜な手段で装着し、仕切り部の下端を適宜折り曲げ或いは撓ませて屋根面に当接すると、太陽光利用パネルの裏面空間は、前記の仕切り部で囲繞され、鳥の侵入を塞ぎ、鳥が巣作りをできないようにする。
【００１０】
また本考案（請求項２）に係る屋根上設置型太陽光利用パネルの鳥害防止具は、特に前記の取付部及び仕切り部を折り曲げが容易な帯状薄金属板で形成してなるもので、取付部（板状部）を太陽光利用パネルの枠体外周面に直接タップネジで装着したり、或いは挟持固定金具を使用することで、既存の太陽光利用パネルに容易に装着することができる。
【考案の効果】
【００１１】
本考案は上記のとおり屋根上に設置した太陽光利用パネルの枠体外周に装着するもので、太陽光利用パネルの裏面空間を仕切り部で囲繞して鳥の侵入を塞ぎ、鳥の巣作りを完全に防止したものである。
【図面の簡単な説明】
【００１２】
【図１】本考案の実施形態の一部省略した全体斜視図。
【図２】同装着状態の一例を示す参考斜視図（横葺き屋根）。
【図３】同図（波瓦葺き屋根）。
【図４】同装着状態の一例を示す断面図（タップネジ使用）。
【図５】同図（挟持金具使用）。
【考案を実施するための形態】
【００１３】
次に本考案の実施形態について説明する。実施形態に示した屋根上設置型太陽光利用パネルの鳥害防止具１は、折曲或いは撓曲自在な薄金属板で、その全長を取付対象のソーラーパネル２の大きさに対応して１８２０ｍｍ程度に形成したものであり、上方部分を取付部１１とし、下方部分を仕切り部１２とした。
【００１４】
取付部１１は、上下幅３０ｍｍ程度として、後述する太陽光利用パネル（例として太陽光発電パネルを示した。以下単に「パネル」という）２の枠体２１の外周面に装着可能としたものである。またその上縁を前方に折曲してリブ部１３に形成して補強してなるものである。
【００１５】
仕切り部１２は、長尺薄金属板（厚さ０．３５ｍｍ前後が適する）の全長に渡って櫛歯状に形成したもので、隙間幅を１０ｍｍ、櫛歯幅を１５ｍｍ、高さ８０ｍｍ程度に形成したものである。
【００１６】
勿論本考案の鳥害防止具１は、前記寸法に限定されるものではなく、後述するように屋根３上に設置されているパネル２の枠体２１の外周面に装着した際に、仕切り部１２の下縁が屋根面に接触するか近接する位置であり、また櫛歯間隙は、必要に応じて仕切り部１２の下方部分を容易に折曲或いは撓曲して屋根面の形状に対応できる範囲であれば良い。
【００１７】
而して本考案の鳥害防止具１は、屋根３上に設置されたパネル２に装着するものである。パネル２は、通常保護ガラス、発電フィルム、補強基板が積層された発電パネル部２２を所定の枠体２１に組み込んで構成されており、屋根３への設置は、屋根に設けたパネル装着金具４に取り付けられているもので、パネル２は屋根３の表面から少し浮いた状態で設置されている。
【００１８】
そこで屋根３に設置されているパネル２の枠体２１の全外周面に、前記鳥害防止具１を装着するもので、装着手段は任意であり、例えば図４に示すように、取付部１１の裏面に接着剤を塗布して接着すると共に、タップネジ５で固定する。
【００１９】
同時に図２に例示するように、枠体２１より外方に張り出したパネル装着金具４が存在した場合や、図３に例示する波瓦屋根３ａのような非平面状の屋根の場合等に対応して、仕切り部１２の下端をその表面形状をなぞるように折曲或いは撓曲して、対応するようにしたものである。
【００２０】
従ってパネル２の裏面空間Ａは、仕切り部１２で囲繞されて封鎖されることになり、当該空間Ａへの鳥の侵入を塞ぎ、鳥の巣作りを完全に防止するものである。
【００２１】
尚本考案の鳥害防止具１のパネル２の枠体２１への装着手段は前記のタップネジ５を使用する以外にも、例えば図５に示すように、仕切り部１２の櫛歯間隙に差し入れることができるＵ状受け具６１とＵ状受け具６１の表面に螺合した押しボルト６２で構成される挟持金具６を別に形成しておき、Ｕ状受け具６１の裏側部を仕切り部１２の櫛歯間隙から枠体２１の裏面に下方から差し入れ、押しボルト６２で取付部１１を枠体２１に押し付け、取付部１１を挟圧することで装着するなど任意の手段を採用することができる。
【符号の説明】
【００２２】
１      鳥害防止具
１１    取付部
１２    仕切り部
１３    リブ部
２      パネル
２１    枠体
２２    発電パネル部
３，３ａ      屋根
４      パネル装着金具
５      タップネジ
６      挟持金具
６１    Ｕ字受け具
６２    押しボルト
【図１】
0003174173.tif 000003
【図２】
0003174173.tif 000004
【図３】
0003174173.tif 000005
【図４】
0003174173.tif 000006
【図５】
0003174173.tif 000007